(57)【要約】【課題】開閉可能な扉が外部の人や設備と干渉しない上に、内部に設置する什器を小さくすることなく干渉を抑制できる。【解決手段】ブース１は、内部空間８を仕切る側壁４Ａ〜４Ｄと、正面の側壁４Ａの出入口５に設置されていて内部空間８内に折れて開く折り戸６と、内部空間８内に設置されていて開いた折り戸６を受け入れ可能な切欠部１１を備えたテーブル１０と、を備えている。折り戸６は折り畳み可能な第一ドア部６ａと第二ドア部６ｂが折り畳み可能に接続されている。内部空間８内にはテーブル１０と対向する位置にソファ１３が設置され、ソファ１３の出入口５側の座部１４は斜めに切り欠かれた傾斜部１２を有し、開閉する折り戸から逃げている。【選択図】図２
2020147978.tif 000002
【特許請求の範囲】
【請求項１】
内部空間を区画する側壁と、
前記側壁に設置されていて前記内部空間内に折れて開く折り戸と、
前記内部空間内に設置されていて開いた前記折り戸を受け入れ可能な切欠部を備えた什器と、
を備えたことを特徴とするブース。
【請求項２】
前記什器がテーブルであり、前記切欠部は前記折り戸を設けた側壁側に設けられている請求項１に記載されたブース。
【請求項３】
前記テーブルは、前記折り戸を設けた第一の前記側壁に隣接する第二の前記側壁と、前記第一の側壁及び/または前記第一の側壁に対向する第三の前記側壁とに連結されている請求項２に記載されたブース。
【請求項４】
前記テーブルに対向する他の什器として座部及び背もたれを備えた椅子が設けられ、前記椅子には開閉する前記折り戸との干渉を防ぐための逃げ部が設けられている請求項２または３に記載されたブース。
【請求項５】
前記什器は背もたれと座部を備えた椅子であり、前記椅子に前記切欠部が設けられている請求項１に記載されたブース。
【発明の詳細な説明】
【技術分野】
【０００１】
本発明は、側壁で区画された内部空間を有するブースに関する。
【背景技術】
【０００２】
従来、オフィスや展示場や公共施設等において、執務や打ち合わせ等を行うためのブースが設置されていることがある。特に、近年、オフィスのフリーアドレス化や携帯端末やパソコン等のＩＣＴ（情報通信技術）を活用したモバイルワークが進展している。そのため、各種の移動先で小スペースのブースを利用して１人または２人程度で執務や打ち合わせ等を行う機会が増加している。スモールオフィスとしても利用可能である。
【０００３】
このようなブースの一例として、例えば特許文献１に記載されたブース装置が提案されている。このブース装置は、オフィスや展示場等において周壁で仕切られた内部空間内に机とモニター等が設置され、１人の利用者が椅子に着座して単独で執務できるようになっている。
このブース装置は一人で集中作業を行う用途であるため、一人用のブースが提案されている。打ち合わせやミーティング、研修等を行うために２名用のブースも提案されている。このブース装置は周壁を構成する１つの壁に出入り口を設けて水平回転式やスライド式のドアを配置している。
【先行技術文献】
【特許文献】
【０００４】
【特許文献１】特開２０１４−３７６７１号公報
【発明の概要】
【発明が解決しようとする課題】
【０００５】
しかしながら、上述した特許文献１に記載されたブース装置はオフィスや公共施設等に設置されているため通行人が多く、外に開く水平回転式(開き戸式)ドアは通行人等に接触してしまうおそれがあった。一方、内側に開く水平回転式ドアでは、ブース装置の内部での椅子や机等の什器の設置位置が限定されてしまい、小型の空間からなるブース装置の利用価値を制限するという問題があった。
また、スライドドアを設置するとスライドドアの閉鎖位置と開放位置とでドア幅の２倍のスペースを必要とするため、小型のブース装置の幅を超える長さになってしまい、これも通行人や設備等に接触し易いという問題があった。
【０００６】
本願発明は、このような課題に鑑みてなされたもので、開閉可能な扉が外部の人や設備と干渉しない上に、内部に設置する什器を小さくすることなく干渉を抑制できるブースを提供することを目的とする。
【課題を解決するための手段】
【０００７】
本発明によるブースは、内部空間を区画する側壁と、側壁に設置されていて内部空間内に折れて開く折り戸と、内部空間内に設置されていて開いた折り戸を受け入れ可能な切欠部を備えた什器と、を備えたことを特徴とする。
本発明によれば、ブースの折り戸を内部空間内に開く際に折り戸を折り畳みながら什器の切欠部に収納できるため、内部空間内に設置する什器を小型化することなく大きな折り戸を設置して開閉操作することができ、利用者の作業を妨げない。
【０００８】
また、什器がテーブルであり、切欠部は折り戸を設けた側壁側に設けられていることが好ましい。
折り戸を開放する際にテーブルの折り戸側に設けた切欠部に折り畳みながら収納できるため、テーブルを小型化しなくても収納スペースとしての切欠部を小型でき、折り戸も小型に折り畳むことができる。
【０００９】
また、テーブルは、折り戸を設けた第一の側壁に隣接する第二の側壁と、第一の側壁及び/または第一の側壁に対向する第三の側壁とに連結されていることが好ましい。
テーブルに折り戸を収納するための切欠部を設けても、折り戸に隣接する第二の側壁と、折り戸を設けた第一の側壁とこれに対向する第三の側壁との少なくとも一方の側壁とにテーブルを固定できるためテーブルの保持強度が大きく、しかもテーブルの長さを長く形成できる。
【００１０】
また、テーブルに対向する什器として座部及び背もたれを備えた椅子が設けられ、椅子には開閉する折り戸との干渉を防ぐための逃げ部が設けられていてもよい。
背もたれと座部を設けた椅子の座部側に逃げ部を設けたため、開閉作動する折り戸と干渉することを防止できる。そして、椅子の逃げ部に隣接する部位に物品を置くための小テーブル等を設置できて有効利用できる。
【００１１】
また、什器は座部及び背もたれを備えた椅子であり、椅子に開放作動する折り戸を収納する切欠部が設けられていてもよい。
ブースの折り戸を内部空間内に開く際に、折り戸を折り畳みながら椅子の座部に設けた切欠部に収納できるため、内部空間内に設置する椅子を小型化することなく大きな折り戸を設置して開閉操作し、利用者の作業を妨げない。
【発明の効果】
【００１２】
本発明に係るブースによれば、ブースの折り戸を内部空間側に開く際に折り戸を折り畳みながら什器の切欠部に収納できるため、什器を小型化しないで済む上に大きな扉の折り戸を設置して開閉操作することができる。
【図面の簡単な説明】
【００１３】
【図１】本発明の第一実施形態によるブースの斜視図である。
【図２】図1に示すブースの平面図である。
【図３】第二実施形態によるブースの平面図である。
【発明を実施するための形態】
【００１４】
以下、本発明の各実施形態によるブースを添付図面に基づいて説明する。
図１及び図２は、本発明の第一実施形態によるブース１を示すものである。
本実施形態によるブース１は、オフィスや公共施設等において床面上に設置された四角形筒状に形成されている。ブース１は四角形筒状の各角部に設置された４本の支柱２Ａ〜２Ｄと、隣接する２本の支柱２Ａ、２Ｂ、２Ｃ、２Ｄ同士を上端でそれぞれ連結する４本の梁部３Ａ〜３Ｄとを有している。隣接する２本の支柱２Ａ、２Ｂ、２Ｃ、２Ｄとその間の梁部３Ａ、３Ｂ、３Ｃ、３Ｄは面板状の側壁４Ａ〜４Ｄで互いに連結されている。
【００１５】
側壁４Ａ〜４Ｄは適宜の材質で形成できるが、本実施形態では、例えば側壁４Ａを正面の側壁４Ａとして、対向する側壁４Ｃは不透明な樹脂や鋼材、または木製板材からなる背面の側壁４Ｃとされている。背面の側壁４Ｃの両側の側壁４Ｂ、４Ｄは例えばガラス面とされている。正面の側壁４Ａは両側に例えばガラス面からなる第一壁面４ａと第二壁面４ｂが設置され、中央開口の出入口５を開閉する扉として、例えばガラス製の折り戸６が折り畳み可能に設置されている。折り戸６は第一ドア部６ａと第二ドア部６ｂとが折り畳み可能に接続されて配設されている。
【００１６】
折り戸６は、第一ドア部６ａと第二ドア部６ｂとが伸張した状態で出入口５を閉塞し、開いた状態で第一壁面４ａとの接続部で第一ドア部６ａ部と第二ドア部６ｂが折り畳まれて第一壁面４ａに直交する位置に二重に重ねられる。第一ドア部６ａと第二ドア部６ｂは略同一幅に形成されている。第二ドア部６ｂには開閉用の取っ手７が取り付けられている。なお、側壁４Ａ、４Ｂ、４Ｃ、４Ｄの上部には四角形枠状の梁部３Ａ、３Ｂ、３Ｃ、３Ｄからなる開口された天井部が形成されている。
【００１７】
ブース１は４枚の側壁４Ａ〜４Ｄで区画された略直方体形状または立方体形状の内部空間８を有している。内部空間８内にはテーブル１０が側壁４Ｂ側に設置され、テーブル１０は長辺の辺部分１０ａが側壁４Ｂに接着剤等で固定されている。テーブル１０は長手方向両側端の辺部分１０ｂ、１０ｃが背面の側壁４Ｃと正面の側壁４Ａの第一壁面４ａにも接着剤等で固定されている。特にテーブル１０の切欠部１１を有する残りの辺部分１０ｃが第一壁面４ａに固定されている。
そのため、テーブル１０は側壁４Ｂ、背面の側壁４Ｃ、正面の側壁４Ａの第一壁面４ａの三面で固定されているが、側壁４Ｂと側壁４Ｃまたは側壁４Ａの第一壁面４ａとのいずれか一方にのみ固定されていてもよい。或いは、テーブル１０は側壁４Ａ〜４Ｃに固定されることなく、その下側にブラケットを設けて側壁４Ｂに固定支持されていてもよいし、テーブル１０の下部に脚部を設けてもよい。
【００１８】
図２に示すように、テーブル１０は平面視略長方形板状に形成されており、出入口５側に被る角部が略四角形状に切り欠かれた切欠部１１を形成している。切欠部１１は平面視で略長方形状または正方形状に形成され、その第一辺部１１ａは第一ドア部６ａ及び第二ドア部６ｂの幅と略同一長さに形成されている。切欠部１１の第二辺部１１ｂは折り畳みながら第一辺部１１ａに当接する折り戸６に当接しないように形成されている。
そして、折り戸６を開放して折り畳んだ際に、二重に重ねられた第一ドア部６ａ及び第二ドア部６ｂはテーブル１０の切欠部１１内の第一壁面４ａに直交する第一辺部１１ａに当接または近接して切欠部１１内に収納される。
【００１９】
また、内部空間８内において、テーブル１０に対向する位置にはソファ１３が設置されている。ソファ１３は座部１４と背もたれ１５とで断面略Ｌ字状に形成されている。ソファ１３の背もたれ１５が側壁４Ｄに近接する対向位置に設置されている。しかも、ソファ１３の座部１４は出入口５に対向する側部が斜めに形成された傾斜部１２を設けることで、折り戸６を開放する際にソファ１３と干渉しないようになっている。
【００２０】
本実施形態によるブース１は上述の構成を有しており、次にその使用方法を説明する。
図１及び図２に示すブース１において、利用者が入室する場合には、取っ手７を把持して押しながら折り戸６を閉鎖状態から開放移動させる。すると、折り戸６は第一ドア部６ａと第二ドア部６ｂが折り畳まれながら内部空間８内に回動し、ソファ１３の座部１４の傾斜部１２を避けながらテーブル１０の切欠部１１内に進入して第一辺部１１ａに当接または近接する。
この状態で、出入口５の近傍では、テーブル１０の切欠部１１内の奥側に折り戸６が収納され、切欠部１１の入り口側とソファ１３の傾斜部１２との領域は出入口５に連通する空間となる。そして、利用者が内部空間８内に入室し、ソファ１３の座部１４に着座してテーブル１０に書類やパソコン等を載置して執務を行うことができる。
【００２１】
なお、２人以上の利用者が入室して打ち合わせ等を行う場合には、ソファ１３の座部１４に着座して面談等を行えばよい。
執務や打ち合わせ等が終了して退室した場合には、ブース１の出入口５の外側から取っ手７を持って折り戸６を引っ張ることで第一ドア部６ａと第二ドア部６ｂを延ばして出入口５を閉鎖することができる。
【００２２】
上述のように本第一実施形態のブース１によれば、入室時には折り戸６を内部空間８側に開く際に、折り戸６を折り畳みながらテーブル１０の切欠部１１に収納できるため、テーブル１０やソファ１３の大きさを確保でき、利用者の作業を妨げない。しかも、大きな折り戸６を設置して第一ドア部６ａ及び第二ドア部６ｂを折り畳んで開閉操作することで小型化できる。
また、テーブル１０は内部空間８内で３つの辺部分１０ａ、１０ｂ、１０ｃを側壁４Ｂ、４Ｃ、側壁４Ａの第一壁面４ａに固定しているためテーブル１０の取り付け強度が高く、脚部やブラケット等を設置しなくても保持できる。
【００２３】
なお、本発明は上述の第一実施形態によるブース１に限定されることはなく、本発明の要旨を逸脱しない範囲で適宜の変更や置換等が可能であり、これらはいずれも本発明に含まれる。以下に、本発明の他の実施形態や変形例等について説明するが、上述した第一実施形態と同一または同様な部品や部材等には同一の符号を用いて説明を行う。
【００２４】
次に本発明の第二実施形態によるブース１Ａについて図３により説明する。
本第二実施形態によるブース１Ａは、支柱２Ａ〜２Ｄ、梁部３Ａ〜３Ｄ、側壁４Ａ〜４Ｄ、折り戸６、内部空間８について第一実施形態によるブース１と同一構成を有している。相違点として、本実施形態では、折り戸６に対する内部空間８内におけるテーブル１０とソファ１３の配置が左右逆になっている。
【００２５】
本第二実施形態において、ブース１Ａは内部空間８内の側壁４Ｄ側にテーブル１０が設置されている。このテーブル１０は側壁４Ｄ側の辺部分１０ａ、背面の側壁４Ｃ側の辺部分１０ｂ、第二壁面４ｂ側の辺部分１０ｃがそれぞれ側壁４Ｄ、背面の側壁４Ｃ、正面の側壁４Ａの第二壁面４ｂに固定されている。しかも、辺部分１０ｃに隣接する部分には内部空間８側に後退する傾斜部１６が形成されている。傾斜部１６によってテーブル１０の角部を後退させることで、折り戸６を開閉操作する際の動作軌跡がテーブル１０と干渉しないようになっている。
【００２６】
また、ソファ１３は座部１４と背もたれ１５とで断面略Ｌ字状に形成されており、背もたれ１５は側壁４Ｂに対向する位置に設置されている。ソファ１３は長手方向両端の側部１３ａ、１３ｂが背面の側壁４Ｃと正面の側壁４Ａの第一壁面４ａに対向して配設されている。しかも、ソファ１３の座部１４は第一壁面４ａ側の側部１３ｂに平面視略四角形状の切欠部１７が形成されている。
切欠部１７の第一壁面４ａ側の第一辺部１７ａには折り畳んだ折り戸６が当接または近接して収納されている。そして、本実施形態では、ソファ１３における切欠部１７の背部を有効利用するために小テーブル１８が設置され、物品の載置部としている。この小テーブル１８は隣り合う２辺が正面の側壁４Ａの第一壁面４ａと側壁４Ｂとに固着されていることが好ましい。あるいは脚部を設けて床面に設置してもよい。
【００２７】
なお、変形例として、第一実施形態によるブース１及び第二実施形態によるブース１Ａにおいて、内部空間８内にテーブル１０とソファ１３の一方のみを設置してもよい。この場合でも、テーブル１０またはソファ１３は切欠部１１，１７または傾斜部１２、１６を設置することで、折り畳んで開閉作動する折り戸６の動作軌跡と干渉しないように配設されている。
また、ソファ１３の傾斜部１２、テーブル１０の傾斜部１６は逃げ部に含まれる。
【００２８】
また、什器として、上述した実施形態におけるソファ１３に代えて背もたれを有する木製や金属製等の椅子を設置してもよい。テーブル１０、ソファ１３、椅子等は什器に含まれる。
なお、ブース１、１Ａの内部空間を区画する複数の側壁において、正面の側壁４Ａは第一の側壁、側壁４Ｂは第二の側壁、背面の側壁４Ｃは第三の側壁に含まれる。また、ブース１、１Ａは４面の側壁を有する四角形筒状に限定されるものではなく、適宜の多角形筒状や円筒状等で構成してもよい。
また、上述した各実施形態によるブース１、１Ａは執務用に限定されるものではなく、各種の作業を行う際に使用可能なブースに含まれる。
【符号の説明】
【００２９】
１、１Ａ  ブース
４Ａ  正面の側壁
４Ｂ、４Ｄ  側壁
４Ｃ  背面の側壁
４ａ  第一壁面
４ｂ  第二壁面
５  出入口
６  折り戸
６ａ  第一ドア部
６ｂ  第二ドア部
８  内部空間
１０  テーブル
１１、１７  切欠部
１１ａ、１７ａ  第一辺部
１１ｂ、１７ｂ  第二辺部
１２、１６  傾斜部
１３  ソファ
１４  座部
１５  背もたれ
【図１】
2020147978.tif 000003
【図２】
2020147978.tif 000004
【図３】
2020147978.tif 000005